(57)【要約】【課題】  構造簡単で移動性のあるコンパクトに比較的安価にまとめられ、かつ意匠性もあるストーブ、特に薪ストーブを提供する。【解決手段】  中空円筒状のドラム本体１はロストル５と一体的となった多数の小孔４ａを有する隔壁４により一次燃焼室２３と二次燃焼室とに区画され完全燃焼が行われる。なお、吸気導入部１２よりの吸気量は簡単に調整ができ、良好な燃焼状態を保持することができる。また、簡便構造のためメンテナンスも容易にできる。【選択図】  図１
0003152010.tif 000002
【実用新案登録請求の範囲】
【請求項１】
地面に対してほぼ水平に支持され内部に投入された薪を燃焼させて加熱し白煙を排気すべく形成される薪ストーブにあって、該薪ストーブは、中空円筒型のドラム本体と、該ドラム本体の前面側に開閉自在に配置されると共に吸気導入部を一体的に形成してなる開閉蓋と、前記ドラム本体の後面側に立設し燃焼ガスの排気を行う排気用煙突と、前記ドラム本体の内部に配置され前記ドラム本体を一次燃焼室と二次燃焼室とに区画すべく前記ドラム本体内に立設される円板状の隔壁と、該隔壁を後端側に立設支持し前記ドラム本体の内部の底面側と隙間を介して配置されるロストルとを有するものからなり、前記隔壁は多数個の小孔を貫通形成し前記ドラム本体の内部上面側と隙間を介して配置されるものからなることを特徴とするドラム型薪ストーブ。
【請求項２】
前記吸気導入部が、前記開閉蓋側に開閉自在に支持される開閉扉に固定され吸気口を開口形成するベース円板と、該ベース円板に回動可能に中心支持され前記吸気口と合致する導入口及び前記吸気口を閉止する閉止面を形成すると共に回動用のハンドルを外縁近傍に配置する回動円板とからなることを特徴とする請求項１に記載のドラム型薪ストーブ。
【請求項３】
前記ドラム本体の外面の上部には前記ドラム本体の熱により加熱される熱盤が配設されることを特徴とする請求項１又は２に記載のドラム型薪ストーブ。
【請求項４】
前記ドラム本体の外面の上部の前記開閉蓋の近傍には耳形状の取手が固定されることを特徴とする請求項１乃至３のいずれかに記載のドラム型薪ストーブ。
【考案の詳細な説明】
【技術分野】
【０００１】
本考案は、ドラム本体内で薪を燃焼させて一次及び二次燃焼室により完全燃焼を行い白煙の排気を排出するコンパクトで意匠美もあるドラム型薪ストーブに関する。
【背景技術】
【０００２】
燃料として薪を用いる薪ストーブとしては従来より各種のものが開発されている。例えば、「特許文献１」や「特許文献２」の如きものが挙げられる。
【先行技術文献】
【特許文献】
【０００３】
【特許文献１】特開２００７−２８５６６０号
【特許文献２】登録実用新案第３１４２３７５号  「特許文献１」の「特開２００７−２８５６６０号」の「薪ストーブ」は本燃焼室（１１）内で薪を燃やし、その上部に別体として設けた二次燃焼筒（２０）に二次燃焼室（２６）を設け更に対流柳止板（２５）を介して排気室（２８）を設け、渦流形成翼（２７）を介して排気を行うものである。高効率の燃焼ができ黒煙を低下させる効果を有するものであるが、前記のように多くの構成要素を要し、複雑な構造からなり、高価なものとなる問題点を有する。また、意匠美を有するものでなく機械的な外観を有するものである。  一方、「特許文献２」の「登録実用新案第３１４２３７５号」の「薪ストーブ」は地面に対し水平に配置された炉体（１）を有しその前面側に空気吸入手段（５），（６）を有し、後面側にすす取体（９）を有する排煙筒（３）を形成するものであり、本考案とやや似ている構成要素の配列を形成するものであるが、空気吸入手段が一次及び二次と２箇所あり、内部には一次及び二次燃焼室がなく、本考案のような隔壁もなく、外観としても意匠美のない機械的構造のストーブからなり本考案とは大きく相違するものである。
【考案の概要】
【考案が解決しようとする課題】
【０００４】
以上の説明のように先行技術としては本考案と類似するものでなく、前記先行技術以外でも本考案のようにコンパクトにまとめられ、完全燃焼が可能で外観において意匠美のある薪ストーブは見当らない。
本考案は以上の事情に鑑みて考案されたものであり、全体構造としてコンパクトにまとめられ、一次及び二次燃焼室が一枚の隔壁を介して容易に形成され、完全燃焼が可能であり、白煙の排気が発生し、意匠美としての美観や面白みのあるドラム型薪ストーブを提供することを目的とする。
【課題を解決するための手段】
【０００５】
本考案は、以上の目的を達成するために請求項１の考案は、地面に対してほぼ水平に支持され内部に投入された薪を燃焼させて加熱し白煙を排気すべく形成される薪ストーブにあって、該薪ストーブは、中空円筒型のドラム本体と、該ドラム本体の前面側に開閉自在に配置されると共に吸気導入部を一体的に形成してなる開閉蓋と、前記ドラム本体の後面側に立設し燃焼ガスの排気を行う排気用煙突と、前記ドラム本体の内部に配置され前記ドラム本体を一次燃焼室と二次燃焼室とに区画すべく前記ドラム本体内に立設される円板状の隔壁と、該隔壁を後端側に立設支持し前記ドラム本体の内部の底面側と隙間を介して配置されるロストルとを有するものからなり、前記隔壁は多数個の小孔を貫通形成し前記ドラム本体の内部上面側と隙間を介して配置されるものからなることを特徴とする。
【０００６】
また、請求項２の考案は、前記吸気導入部が、前記開閉蓋側に開閉自在に支持される開閉扉に固定され吸気口を開口形成するベース円板と、該ベース円板に回動可能に中心支持され前記吸気口と合致する導入口及び前記吸気口を閉止する閉止面を形成すると共に回動用のハンドルを外縁近傍に配置する回動円板とからなることを特徴とする。
【０００７】
また、請求項３の考案は、前記ドラム本体の外面の上部には前記ドラム本体の熱により加熱される熱盤が配設されることを特徴とする。
【０００８】
また、請求項４の考案は、前記ドラム本体の外面の上部の前記開閉蓋の近傍には耳形状の取手が固定されることを特徴とする。
【考案の効果】
【０００９】
本考案の請求項１のドラム型薪ストーブによれば、開閉蓋や開閉扉によって大小の薪が容易にドラム本体内に導入できると共に吸気は吸気導入部の吸気量を自由に調整でき、薪の完全燃焼を可能とすると共に簡単な構造の隔壁を介して一次及び二次燃焼室が区画され、かつ隔壁はロストルと一体的の構造でメンテナンスが比較的容易にでき、ロストル及び隔壁のドラム本体に対する隙間と隔壁そのものの構造により、燃焼がほぼ完全に行われ、結果として黒煙の発生が防止される。
【００１０】
また、本考案の請求項２のドラム型薪ストーブによれば、隔壁は多数個小孔を有するものからなり、熱がこの小孔を介して二次燃焼室側に導入されると共にロストルと隔壁のドラム本体との隙間を介して燃焼されている煙が円滑に流れ、かつ勢いよく流れ、完全燃焼を二次燃焼室によって行うことができる。
【００１１】
また、本考案の請求項３のドラム型薪ストーブによれば、ドラム本体上に熱盤が配設され過熱された熱盤の上で焼き物や料理等の加熱や保温ができ広い範囲において便利に利用される。
【００１２】
また、本考案の請求項４のドラム型薪ストーブによれば、吸気導入部の導入口や中心支持部やハンドルや把手が夫々目や鼻や口や耳等を漫画的に表示するものからなり、外観が面白く、かつ意匠美を生じさせることができ、販売意欲の向上を図ることができる。
【図面の簡単な説明】
【００１３】
【図１】本考案のドラム型薪ストーブの全体構造を示す部分軸断面図。
【図２】本考案のドラム型薪ストーブの側面外観図。
【図３】本考案のドラム型薪ストーブの前面。
【図４】本考案のドラム型薪ストーブの後面図。
【図５】本考案のドラム型薪ストーブのロストル及び隔壁を示す斜視図。
【図６】本考案のドラム型薪ストーブの開閉蓋や吸気導入部の構造を示す側面図（ａ）及び図６（ａ）のＡ矢視の正面図（ｂ）。
【図７】本考案のドラム型薪ストーブの吸気導入部の導入口の開閉時の状態を示す断面図（ａ）及び吸気導入部の開放状態を示す正面図（ｂ）。
【図８】本考案のドラム型薪ストーブにおける燃焼時の熱及び煙の流れを示す模式的燃焼流れ図。
【考案を実施するための形態】
【００１４】
以下、本考案のドラム型薪ストーブの実施の形態を図面を参照して詳述する。
【実施例】
【００１５】
図１に示すように、本考案のドラム型薪ストーブ１００は大別して次の構成要素からなる。即ち、ドラム本体１と、開閉蓋２と、排気用煙突３と、隔壁４と、ロストル５等とからなる。
【００１６】
ドラム本体１は細長な中空円筒型のものからなり、その前面側には開閉蓋２が設けられ後面側には排気用煙突３が立設されている。また、ドラム本体１の外部の上面には熱盤６（図１，図２，図３，図４に示す）が設けられ、ドラム本体１の上面の前側の開閉蓋２の近傍には耳形状の取手７（図１，図２，図３，図４に示す）が固定されている。
また、ドラム本体は図１，図２，図３，図４等に示すようにその下方側には足（図示では４本）８が固定され、地面９上にドラム本体１を水平に支持するようにしている。
【００１７】
開閉蓋２は図１，図２，図３，図６（ａ），（ｂ）や図７（ａ），（ｂ）に示すようにドラム本体１側にヒンジ１０を介して開閉自在に保持されると共に開放位置において開閉蓋２を停止保持するためのストッパ１１が設けられている。
また、開閉蓋２の前面は地面９に対して傾斜（本実施例では１５度の傾斜角であるが勿論それに限定するものではない）して配置され、その前記前面には開閉扉２ａと吸気導入部１２が設けられている。この吸気導入部１２は開閉扉２ａの前面に固定されるベース板１３とこれに回動自在に中心支持される回動円板１４とからなる。なお、開閉扉２ａは開閉蓋２にヒンジ２ｂにより開閉自在に支持される。
ベース板１３には本実施例では２個の吸気口１５がドラム本体１側に連通して開口形成される。また、回動円板１４はベース板１３の中心に突出して固定され支持軸１６に中心支持されベース板１３に支持軸１６を中心として回動自在に取り付けられる円板状のものからなり、前記吸気口１５に連通する導入口１７が開口形成されているが導入口１７以外の部分は閉止面１８が形成されるものからなる。また、この回動円板１４を支持軸１６を中心として回動させるためにハンドル１９が外縁近傍に配設されている。
【００１８】
排気用煙突３は図１に示すようにドラム本体１の後端に連通する排気取り出し口２０と図２，図４に示すように排気取り出し口２０に連通して立設する排気筒２１等からなる。また、排気筒２１の先端には自然風により回転する排気扇２２が設けられている。
【００１９】
熱盤６はコ字形状に曲げられた鉄材からなり、コ字形状の両足の部分がドラム本体１に固定され、上方には水平面部６ａが形成され水平面部６ａには滑り止め６ｂが形成されている。また、取手７は図１や図３に示すように中央部にＶ溝を形成し左右に水平に張りだしてその張り出し端で垂直に曲げられてドラム本体１に固定される耳形状のものからなる。
【００２０】
以上の構成要素からなる吸気導入部１２は導入口１７が目に相当し、支持軸１６が鼻に相当し、ハンドル１９が口に相当し、取手７が耳に相当するものからなり、図３，図６，図７に示すように漫画的は人間の顔を表示するものからなり、「ひょうきん」な意匠的美観を形成するものからなる。また、図１，図２に示すようにドラム型薪ストーブ１００は全体の外観形状が豚のような形からなりこれも「ひょうきん」な意匠的美観を有するものからなる。
【００２１】
図５は隔壁４とロストル５を示す。本実施例では隔壁４とロストル５とは一体的構造のものからなり、隔壁４はロストル５の最後部に立設して固定される。また、隔壁４には多数個の小孔４ａが貫通形成される。この一体構造の隔壁４とロストル５とはドラム本体１の内部に挿入された場合には図１に示すように隔壁４が排気用煙突３に近い位置に配置され、隔壁４を介してドラム本体１は一次燃焼室２３と二次燃焼室２４とに区画される。また、隔壁４はドラム本体１の内径よりも小形の円板からなり、隔壁４の上面とドラム本体１の内部の上面との間には隙間２５が形成される。また、ロストル５は薪２６が搭載される台板からなり図５に示すように縦棒５ａと横棒５ｂとを直角に連結固定したものからなり相対向する縦棒５ａ，５ａ間及び隣接する横棒５ｂ，５ｂ間にはキャップ５ｃが多数形成される。また、ロストル５をドラム本体１の内部下面に水平に敷設した場合にはロストル５の下面とドラム本体１の内部の底面との間には隙間２７が形成される。なお、燃焼物の薪２６はロストル５上に搭載される。
【００２２】
図６（ａ）は開閉蓋２や吸気導入部１２の構造を示すものである。前記のように、開閉蓋２はヒンジ１０によりドラム本体１に開閉自在に支持され、開閉扉２ａはヒンジ２ｂにより開閉蓋２に開閉自在に支持される。
図６（ｂ）及び図７（ａ）は、ベース板１３の吸気口１５と回動円板１４の導入口１７とが重ならない状態を示す。この状態ではドラム本体１内には空気が導入されない。
また、図７（ｂ）及び図３は回動円板１４の導入口１７とベース板１３の吸気口１５とが合致した状態を示すものであり、ドラム本体１内に吸気が１００％導入される状態を示す。なお、図示していないが、回動円板１４の導入口１７とベース板１３の吸気口１５との重なり合いの程度により吸気量を自由にコントロールすることができる。
【００２３】
次に、図１，図８により、本考案のドラム型薪ストーブ１００による薪２６の燃焼による燃焼ガスの生成とその進行や排煙の排気等について説明する。
まず、開閉蓋２や開閉扉２ａを開放し薪２６を投入しロストル５上に搭載し薪２６の点火を行う。開閉蓋２等を閉止し次に吸気導入部１２の回動円板１４を回動し、吸気口１５と導入口１７との合致度合を調整しながら薪２６の燃焼状態を確認し、ベストの空気導入を行う。
薪２６の燃焼により一次燃焼室２３内に炎２８と煙２９が発生する。炎２８は矢印Ａの如く隔壁４側に向かって進み、煙２９はドラム本体１の上方と下方に進み、隔壁４とドラム本体１との隙間２５とロストル５とドラム本体１との隙間から二次燃焼室２４内に導入される。一方、炎２８は隔壁４の小孔４ａを通過し、勢いを増しながら二次燃焼室２４内に吹き出される。この状態により二次燃焼室２４内において完全燃焼が発生する。この燃焼ガスは排気取り出し口２０から排気筒２１に廻り込み大気中に排出される。この排気は完全燃焼作用によって白煙となり黒煙状態が発生せず環境保全上における効果を上げることができる。
【００２４】
ドラム本体１内はかなり高温となり、ストーブとして十分に機能すると共に熱盤６が加熱する。そのため、熱盤６上において色々の品物の加熱等（例えば、バーべキューや焼芋等）を行うことができる。また、ドラム本体１は足８により地面９上に搭載されるため持ち運びが可能であり任意の場所に移動できる。
【００２５】
また、隔壁４やロストル５は長時間の使用によりクリーニングを必要とするが、本考案のドラム型薪ストーブ１００では隔壁４をロストル５とが一体的構造のため、これ等を開閉蓋２から容易に取り出すことができ、クリーニングを完全に、かつ容易に行うことができる。
【００２６】
本考案のドラム型薪ストーブ１００は、以上のような優れた完全燃焼効果を有するものであるが、前記のように吸気導入部１２が顔に似た形態からなり、また、全体構造が豚のような形態からなり、形状として面白く、「ひょうきん」な意匠美も存在し、利用者に「やすらぎ」等を与えることができる効果があることは明らかであり、本考案の１つのメリットと言うことができる。
【００２７】
本考案のドラム型薪ストーブ１００は以上の説明の如きものであるが、この説明内容に限定されるもので同一技術的範疇のものが適用されることは勿論である。
【産業上の利用可能性】
【００２８】
本考案のドラム型薪ストーブはストーブとして効果的のものであるが、燃焼としては薪に限定するものではなく、かつコンパクトで比較的安価のもので、かつ意匠性もあることからストーブを兼ねた展示品としても利用可能であり、料理台としても使用可能であり、その利用範囲は極めて広い。
【符号の説明】
【００２９】
１      ドラム本体
２      開閉蓋
２ａ    開閉扉
２ｂ    ヒンジ
３      排気用煙突
４      隔壁
４ａ    小孔
５      ロストル
５ａ    縦棒
５ｂ    横棒
５ｃ    キャップ
６      熱盤
６ａ    水平面部
６ｂ    滑り止め
７      取手
８      足
９      地面
１０    ヒンジ
１１    ストッパ
１２    吸気導入部
１３    ベース板
１４    回動円板
１５    吸気口
１６    支持軸
１７    導入口
１８    閉止面
１９    ハンドル
２０    排気取り出し口
２１    排気筒
２２    排気扇
２３    一次燃焼室
２４    二次燃焼室
２５    隙間
２６    薪
２７    隙間
２８    炎
２９    煙
１００  ドラム型薪ストーブ
【図１】
0003152010.tif 000003
【図２】
0003152010.tif 000004
【図３】
0003152010.tif 000005
【図４】
0003152010.tif 000006
【図５】
0003152010.tif 000007
【図６】
0003152010.tif 000008
【図７】
0003152010.tif 000009
【図８】
0003152010.tif 000010